(57)【要約】      （修正有）【課題】容易に大きな装飾効果を与えることが可能で携行しやすい、衣服のように着用することができるジュエリーを提供する。【解決手段】装飾部材と係止具から構成されるジュエリーで、種々の装飾部材３ａ〜３ｇを係止具で連結してキャミソールやドレス等の衣服形状に形成し、着脱自在な係脱金具２ａ，２ｂにより衣服のように着用することを可能とした。装飾部材３ａ〜３ｇにはクリスタルガラス、ラインストーン、宝玉類、ビーズ、金属等が使用できる。【選択図】図１
0003145186.tif 000002
【実用新案登録請求の範囲】
【請求項１】
クリスタルガラス、ラインストーン、その他の宝玉の模造品、宝玉類、ビーズ等の装飾部材を係止具で連結してなる身頃部と、着脱容易にするための長さ調整可能な係脱金具を備えた、衣服のように着るジュエリー。
【請求項２】
請求項１に記載の着るジュエリーであって、ラインストーンを金具で多数連結して形成した所定長の鎖体であるダイヤレーンを固定金具によりハニカム構造に形成しその縦方向部分をろう付けしてなる支持体と、該支持体の上に適宜固着される多数の装飾部材を係止具で固着して形成した装飾体とからなる着るジュエリー。
【請求項３】
請求項１乃至２のいずれかに記載のジュエリーであって、上衣形状の着るジュエリー。
【請求項４】
請求項１乃至２のいずれかに記載のジュエリーであって、ドレス形状の着るジュエリー。
【考案の詳細な説明】
【技術分野】
【０００１】
本考案は、多数のクリスタルガラス、ラインストーン、その他の宝玉の模造品、宝玉類、ビーズ等の装飾部材とそれらを連結する係止具からなる衣服のように着用するジュエリーに関するものである。
【背景技術】
【０００２】
従来より、パーティー等の衣服には、華やかに見せるため、クリスタルガラスやラインストーン等の装飾部材を衣服に刺繍するなどして直接固着させた衣服が多数存在する。また、衣服の装飾性を高める目的としては、ネックレス等のアクセサリーが使用されることも一般的である。
【考案の開示】
【考案が解決しようとする課題】
【０００３】
しかし、装飾部材が直接固着されている衣服については、例えば旅行先や仕事帰りのパーティー等においては、華美に過ぎない通常の衣服を着用しつつパーティー用の華やかな衣服を別に携行し、パーティー前に着替える必要がある。また、衣服に直接装着された装飾部材は取り外すことはできないので、ドレスのイメージを変えることは不可能であり、多数のドレスを用意するなど負担が大きい。
【０００４】
一方、ネックレス等のアクセサリーだけでは、ドレス自体のイメージチェンジにはなりえず装飾性の面での効果は限定的である。
【０００５】
衣服の有する装飾性を必要とされる状況に合わせて提供する衣服として下記アクセサリー付き衣服があるが、布地部分を有するため嵩張り、また折り皺がつくなど携行しにくいという問題点がある。
【特許文献１】実用新案登録第３０９７９１３号公報
【課題を解決するための手段】
【０００６】
本考案の目的は、衣服そのもののイメージを容易に華やかに変化させ、かつ携行しやすい着るジュエリーを提供することにある。
【０００７】
請求項１に記載の考案においては、クリスタルガラス、ラインストーン、その他の宝玉の模造品、宝玉類、ビーズ等の装飾部材を係止具で連結してなる身頃部と、着脱容易にするための長さ調整可能な係脱金具を備えた、衣服のように着るジュエリーであることを特徴としている。
【０００８】
請求項２に記載の考案においては、請求項１に記載の着るジュエリーであって、ラインストーンを金具で多数連結して形成した所定長の鎖体であるダイヤレーンを固定金具によりハニカム構造に形成しその縦方向部分をろう付けしてなる支持体と、該支持体の上に適宜固着される多数の装飾部材を係止具で固着して形成した装飾体とからなる着るジュエリーであることを特徴としている。
【０００９】
請求項３に記載の考案においては、請求項１乃至２のいずれかに記載のジュエリーであって、上衣形状の着るジュエリーであることを特徴としている。
【００１０】
請求項４に記載の考案においては、請求項１乃至２のいずれかに記載のジュエリーであって、ドレス形状の着るジュエリーであることを特徴としている。
【考案の効果】
【００１１】
本考案によれば、クリスタルガラスやラインストーン、宝玉等の装飾部材と係止具及び係脱金具からなる、衣服のように着用するジュエリーを提供することができるので、必要に応じて衣服の装飾性を大幅に向上させることが可能になる。また、通常のアクセサリーとは異なり、上衣型やドレス型に形成されるため、その下に着用する衣服と一体化して該衣服とは全く異なるイメージを生み出すことが可能で、そのイメージチェンジの幅は、該ジュエリーと衣服との組み合わせにより何通りにも広がる。さらに、布地部分を有さないため携行時には通常のアクセサリー同様コンパクトにまとめることが可能である。
【考案を実施するための最良の形態】
【００１２】
以下、図面を用いて、本考案を詳細に説明するが、本考案は下記の実施形態に限定されるものではない。
【００１３】
図１は、本考案の一実施形態であるキャミソール型の着るジュエリーの展開図で、図２は図１を着用した模式図である。
【００１４】
図１及び図２におけるキャミソール型ジュエリーは、上端に着脱自在な係脱金具２を備え下端を係止具により身頃部に固着した肩紐部（図１中符号Ｘに対応する部分）と、背部の後ろ中心で分離され、分離部に着脱自在な係脱金具２を具えた身頃部（図１中符号Ｙに対応する部分）からなる。身頃部は、種々の装飾部材３ａ〜３ｇを所定のデザインに基づき係止具で連結して形成される。本考案における係止具は丸カン等の金具、ナイロン糸等を使用し、装飾部材と金具との連結方法は通常一般のアクセサリーにおける連結方法と同様に行うことができる。肩紐部は、強度を保つため、ダイヤレーンと称されるラインストーンを多数連結して形成した所定長の鎖体４を使用することがのぞましいが、これに限定されるものではない。肩紐部及び身頃部の後ろ中心の分離部の係脱金具２は、一方はチェーン状のアジャスターテール２ａとし、他の一方は引輪、カニカン等の留め金具２ｂとし長さ調節を可能にする。
【００１５】
装飾部材３としては、スワロフスキー（登録商標）等のクリスタルガラス、クリスタルガラス及びアクリルのラインストーン、真珠その他の宝玉、ビーズ、金、銀等の金属その他を用いることができる。
【００１６】
図３は、請求項２に示す、ラインストーンを多数連結して形成した所定長の鎖体４（ダイヤレーン）からなる支持体を示す模式図である。支持体は、該鎖体同士が丸カン等の固定金具５によりハニカム構造に形成されその縦方向をろう付けしてなる（ろう付け部６）。鎖体４（ダイヤレーン）はもともと強度がある上に、ハニカム構造に形成し縦方向の鎖体同士をろう付けすることでさらに強度を増すことを可能にする。請求項２のジュエリーにおいては、該支持体に、装飾部材３を所定のデザインに基づき係止具７により連結した装飾体を適宜固着する。図４は該装飾体の一例を説明するものであるが、装飾体は当然これに限定されるものではなく、様々なデザインにすることが可能である。
【００１７】
着るジュエリーの形状は、請求項３でいう上衣型、例えば肩紐を有する上衣であるキャミソール型、肩紐を有するビスチェ型、ホルターネック上衣型、ハイネック上衣型等、また、請求項４でいうドレス型等様々な形状に形成可能であるが、少なくとも首または肩及び背中で係脱金具により係着することがのぞましい。
【００１８】
また、衣服状のデザインとするため、通常のネックレス等アクセサリーとは異なり立体的に形成することがのぞましい。
【図面の簡単な説明】
【００１９】
【図１】本考案のジュエリーの一実施形態であるキャミソール型ジュエリーの構成を示す展開図。
【図２】図１のキャミソール型ジュエリーの着用状態を示す説明図。
【図３】本考案の請求項２に係る支持体を示す説明図。
【図４】本考案の請求項２に係る装飾体の一例を示す説明図。
【図５】本考案の請求項２に係るジュエリーの一実施形態の着用状態を示す参考イメージ図。
【図６】本考案の一実施形態の着用状態を示す参考イメージ図。
【図７】本考案の一実施形態の着用状態を示す参考イメージ図。
【図８】本考案の一実施形態の着用状態を示す参考イメージ図。
【符号の説明】
【００２０】
１    着るジュエリー
２    係脱金具
３    装飾部材
４    鎖体
５    固定金具
６    ろう付け部
７    係止具
２０  衣服
【図１】
0003145186.tif 000003
【図２】
0003145186.tif 000004
【図３】
0003145186.tif 000005
【図４】
0003145186.tif 000006
【図５】
0003145186.tif 000007
【図６】
0003145186.tif 000008
【図７】
0003145186.tif 000009
【図８】
0003145186.tif 000010